(57)【要約】【課題】雨水貯留装置を各戸に適切に設置することが可能な雨水貯留装置の架台を提供することである。【解決手段】雨水を貯留し前記雨水が含む不純物を沈殿させる貯留・沈殿槽と、前記貯留・沈殿槽の水を受け入れて濾過する濾過槽とを有する雨水貯留装置をベランダに配置し保持する架台であって、前記雨水貯留装置の各槽のそれぞれを支持する揺動防止枠と、前記揺動防止枠を支持する骨組みと、前記ベランダの背面から手摺までの間に延伸して前記骨組みを支持する突き棒と、前記ベランダの床から天井までの間に延伸して前記骨組みを支持する突っ張り支柱と、を有することを特徴とする。【選択図】図３
2014020131.tif 000002
【特許請求の範囲】
【請求項１】
雨水を貯留し前記雨水が含む不純物を沈殿させる貯留・沈殿槽と、前記貯留・沈殿槽の水を受け入れて濾過する濾過槽とを有する雨水貯留装置をベランダに配置し保持する架台であって、
前記雨水貯留装置の各槽のそれぞれを支持する揺動防止枠と、
前記揺動防止枠を支持する骨組みと、
前記ベランダの背面から手摺までの間に延伸して前記骨組みを支持する突き棒と、
前記ベランダの床から天井までの間に延伸して前記骨組みを支持する突っ張り支柱と、
を有すること
を特徴とする架台。
【請求項２】
前記貯留・沈殿槽と、前記濾過槽とを横並びに配置することとしたことを特徴とする請求項１に記載の架台。
【請求項３】
前記貯留・沈殿槽と、前記濾過槽とを縦並びに配置することとしたことを特徴とする請求項１に記載の架台。
【発明の詳細な説明】
【技術分野】
【０００１】
本発明は、雨水を貯留して濾過する雨水貯留装置を設置する雨水貯留装置の架台に関する。
【背景技術】
【０００２】
近年、東京を初めとする巨大都市ばかりか地方の中規模都市にも高層集合住宅が建設されている。しかし、今回の「東日本大震災」でも明らかに成った様に、日本の電力供給が如何に不安定な状態であるかが分かった。加えて、「東海・東南海・南海地震の同時発生」や「首都圏直下形地震」が叫ばれているが、若し、これが現実なものとして発生したら、停電や断水が起こることは必定であろう。
【０００３】
行政や地震対策を叫ぶ学者達は「3日間の飲料水と食料の備蓄を」と呼び掛けているが、その3日後の飲料水の入手は如何(どう)するのであろうかと疑問を感じないでは居られない。高層集合住宅に居住している人々は、福島第一原発の事故を体感する以前は、普段何の疑いもなく使用していたエレベーターだが、以後はその停止の不安を感じているものと推察する。実際に停電と同時に断水が発生したら毎日その階から地上に下りて水を貰い受け、また高層階まで担ぎ上げなければならないだろう。その行為は健常者にとっても「苦痛以外の何物でもないだろうと」推察する。況してや、足に障碍の有る人や高齢者にとっては耐えられない行為であろう。
【０００４】
これに対し、特許文献１や特許文献２では、雨水の貯留、利用について提案している。
【先行技術文献】
【特許文献】
【０００５】
【特許文献１】特開平１１−１２８６２２号公報
【特許文献２】特開２００２−１６７８１３号公報
【発明の概要】
【発明が解決しようとする課題】
【０００６】
しかし、雨水には思いの外不純物が含まれているのでそれを濾過して除去しなければならない上、沈殿した不純物を自然の力で排出すること、貯留された水に虫を侵入させないこと、光合成に因る藻の発生を防ぐこと、渟水（例えば水が長期間に亘って滞留すること）を起こさせないこと、高層階に設置した貯水槽や濾過槽が地震に因り飛翔し、二次災害を起こさせないことを念頭に置き、工夫が必要である。
【０００７】
ところが、特許文献１や特許文献２では、特に、渟水の問題については、何ら検討されていないものであった。
【０００８】
そこで出願人は、特願２０１１−２４８２２０号として、雨水を貯留し、不純物等を沈殿させ、さらに濾過するとともに渟水を防ぎ、良質の水を備蓄可能な雨水貯留装置について、特許出願を行った。
【０００９】
ところで、出願人が特願２０１１−２４８２２０号として特許出願した雨水貯留装置のほか、各種の雨水貯留装置を各戸に適切に設置するためには、それに適した架台が必要となる。
【００１０】
本発明は、上記課題に鑑みてなされたものであり、雨水貯留装置を各戸に適切に設置することが可能な雨水貯留装置の架台を提供することを目的とする。
【課題を解決するための手段】
【００１１】
上記課題を解決するために、本発明は、雨水を貯留し前記雨水が含む不純物を沈殿させる貯留・沈殿槽と、前記貯留・沈殿槽の水を受け入れて濾過する濾過槽とを有する雨水貯留装置をベランダに配置し保持する架台であって、前記雨水貯留装置の各槽のそれぞれを支持する揺動防止枠と、前記揺動防止枠を支持する骨組みと、前記ベランダの背面から手摺までの間に延伸して前記骨組みを支持する突き棒と、前記ベランダの床から天井までの間に延伸して前記骨組みを支持する突っ張り支柱と、を有することを特徴とする。
【発明の効果】
【００１２】
本発明によれば、雨水貯留装置を各戸に適切に設置することが可能な雨水貯留装置の架台を提供することができる。
【図面の簡単な説明】
【００１３】
【図１】「架台の主要構成材一覧表」を示す表図であり、１番から６番までを示す。
【図２】「架台の主要構成材一覧表」を示す表図であり、７番から１２番までを示す。
【図３】「並列配置型架台」１００ａを上方から見た平面図であって、「並列配置型架台」１００ａを構成する「揺動防止枠」１０１の外観を示す図である。
【図４】図３において円で囲って示すイ部の拡大平面図である。
【図５】図３において楕円で囲って示すロ部の拡大平面図である。
【図６】図３において楕円で囲って示すロ部の拡大側面図である。
【図７】「並列配置型架台」１００ａの底側に配置される「台座骨組」１０２を上方から見た平面図である。
【図８】「並列配置型架台」１００ａの主要部の正面図である。
【図９】（ａ）は、「並列配置型架台」１００ａを側方から見た断面図であり、（ｂ）は、「並列配置型架台」１００ａを正面から見た断面図である。
【図１０】「揺動防止枠」１０１の骨組みの仕口図であって、「端末管」と「桁」との接合部を示す図であり、（ａ）は補助板取付図を平面図で示し、（ｂ）は収まり図を平面図で示し、（ｃ）は補助板取付図を立面図で示し、（ｄ）は収まり図を立面図で示す。
【図１１】「揺動防止枠」１０１の骨組みの仕口図であって、「桁」と「揺動防止枠材」との接合部を示す図であり、（ａ）は平面図であり、（ｂ）は立面図である。
【図１２】「揺動防止枠」１０１の骨組みの仕口図であって、「包合管」と「揺動防止端末管」との接合部を示す図であり、（ａ）は相関の平面図であり、（ｂ）は収まりの平面図である。
【図１３】「揺動防止枠」１０１の骨組みの仕口図であって、「包合管」と「揺動防止端末管」との接合部を示す図であり、（ａ）は相関の正立面図であり、（ｂ）は収まりの正立面図であり、（ｃ）は収まりの側立面図である。
【図１４】（ａ）は、図３とは槽の配置が異なる「並列配置型架台」１００ｂを上方から見た平面図であって、（ｂ）は、「並列配置型架台」１００ｂの底側に配置される「台座骨組」１０２を上方から見た平面図である。
【図１５】架台の「柱脚」の詳細を示す縦断面図である。
【図１６】架台の「柱頭」の詳細を示す縦断面図である。
【図１７】架台の「突っ張り支柱」の振れ止めを示す縦断面図である。
【図１８】（ａ）は、架台の「振れ止め端末管」を示す横断面図であり、（ｂ）は、架台の管が入れ子で２層になっている箇所における管同士を固定する「金物」の取付状態を示す図である。
【図１９】架台の「突っ張り支柱」において「管」が入れ子で３層になっている箇所の縦断面図である。
【図２０】架台の「管」が入れ子で３層になっている箇所における「管」同士を固定する「金物」の取付状態を示す図である。
【図２１】架台の「突っ張り支柱」の「柱頭」を示す縦断面図であって、設置箇所の天井がコンクリート直天井である場合に用いる構成の正断面図である。
【図２２】架台の「突っ張り支柱」の「柱頭」を示す縦断面図であって、設置箇所の天井が化粧板貼り天井である場合に用いる構成の、（ａ）は正断面図であり、（ｂ）は側断面図である。
【図２３】架台の「台座」の骨組みの仕口図であって、「台座端末管」と「梁」との接合部を示す図であり、（ａ）は「補助板」の取付図の平面図であり、（ｂ）は収まり図の平面図であり、（ｃ）は「補助板」の取付図の立面図であり、（ｄ）は収まり図の立面図である。
【図２４】架台の「台座」の骨組みの仕口図であって、「梁」と「小梁」との接合部を示す図であり、（ａ）は「補助板」の取付図の平面図であり、（ｂ）は収まり図の平面図であり、（ｃ）は「補助板」の取付図の立面図であり、（ｄ）は収まり図の立面図である。
【図２５】架台の「台座」の骨組みの仕口図であって、「小梁」同士の接合部を示す図であり、（ａ）は「補助板」の取付図の平面図であり、（ｂ）は収まり図の平面図であり、（ｃ）は「補助板」の取付図の立面図であり、（ｄ）は収まり図の立面図である。
【図２６】架台の「台座」の骨組みの仕口図であって、「台座板」の収まり図であり、（ａ）は平面図であり、（ｂ）は「台座板」部分拡大図であり、（ｃ）は（ａ）の立面図であり、（ｄ）は（ｂ）の立面図であり、（ｅ）は（ａ）の裏面平面図であり、（ｆ）は（ｂ）の裏面平面図である。
【図２７】（ａ）は架台の「突っ張り支柱」の柱頭収まりの斜視図であり、設置箇所の天井がコンクリート直天井である場合に用いる構成の図であり、（ｂ）は架台の「突っ張り支柱」の「柱頭」収まりの斜視図であり、設置箇所の天井が化粧板貼り天井である場合に用いる構成の図であり、（ｃ）は架台の「突っ張り支柱」の「柱脚」収まりの斜視図であり、（ｄ）は架台の「突っ張り支柱」の「柱脚」収まりの平面図であり、（ｅ）は架台の「突っ張り支柱」の「柱脚」収まりの立面図である。
【図２８】「直列配置型架台」１００ｃを示す図であって、（ａ）は「直列配置型架台」１００ｃの上部の「頭繋ぎ枠」を上方から見た平面図であり、（ｂ）は「直列配置型架台」１００ｃにおいて「濾過槽」を保持する「揺動防止枠」を上方から見た平面図であり、（ｃ）は直列配置型架台１００ｃの底側に配置される「台座骨組」を上方から見た平面図であり、（ｄ）は「直列配置型架台」１００ｃの骨組みを示す正面図である。
【図２９】図２８（ｄ）に示した「直列配置型架台」１００ｃの骨組みを示す斜視図である。
【図３０】図２８とは別の「直列配置型架台」１００ｄを示す図であって、（ａ）は「直列配置型架台」１００ｄの骨組みを示す正面図であり、（ｂ）は「直列配置型架台」１００ｄの「芯持ち挿入管」を示す上部縦断面図であり、（ｃ）は「直列配置型架台」１００ｄの「芯持ち挿入管」を示す下部縦断面図である。
【図３１】（ａ）は図３０の（イ）部における「管」同士を固定する「金物」の仮付図であり、（ｂ）は図３０の（ロ）部における「管」同士を固定する「金物」の取付図であり、（ｃ）は図３０の（イ）部における「補強管」相関の縦断面図であり、（ｄ）は図３０の（ハ）および（ニ）部における「管」同士を固定する「金物」の取付図であり、（ｅ）は図３０の（ハ）および（ニ）部における「管」、「芯」相関の縦断面図であり、（ｆ）は図３０の（ホ）部における「管」と「芯」を固定する「金物」の取付図である。
【図３２】図３０に示した「直列配置型架台」１００ｄの組み立て順序を示す図であって、（ａ）は「架台管」取り付け時の正面図であり、（ｂ）は（ａ）に続く「補強管」取り付け時の正面図である。
【図３３】図３０に示した「直列配置型架台」１００ｄの組み立て順序を示す図であって、（ａ）は図３２（ｂ）に続く「頭繋ぎ枠」取り付け時の正面図であり、（ｂ）は（ａ）に続く「押板」取り付け時の正面図である。
【発明を実施するための形態】
【００１４】
以下、本発明の実施の形態を図面に基づいて説明する。
【００１５】
ここで、本願発明に係る雨水貯留装置の架台の特徴の一例について、列挙する。
【００１６】
（ａ）  雨水貯留装置の設置箇所は、例えば、床面と天井面に高強度な構造体を有する、多層集合住宅のベランダとすることができる。
【００１７】
（ｂ）  ベランダの広さ、設置する階の階高、低層階と高層階とでは地震時の揺れの違い等の様々な状況に見合った物（実施例）を選択可能である。
【００１８】
（ｃ）  設置した雨水貯留装置が飛翔し、第三者損害を発生させないことに重点を置いた構成である。
【００１９】
（ｄ）  多層集合住宅は、近年区分所有している居住者も増えているが、公営集合住宅等に代表されるように、未だ賃貸居住者がより多いことを想定し、それらの人々の転居、移転に際しても、特殊工具を用いず、雨水貯留装置の架台の解体、梱包、運搬、組立等を容易に行うことができる。
【００２０】
（ｅ）  架台を構成する部材は、例えば既に市販されている、様々な角パイプを用いることができ、部材同士の溶接も既に一般的に行われているものであり、例えば大量生産によりコストを低減し、妥当な価格で供給されることが可能である。
【００２１】
なお、本実施の形態においては、出願人が特願２０１１−２４８２２０号として特許出願した雨水貯留装置を設置するのに良好な架台を例に説明するが、雨水貯留装置を設置する場合であっても本実施の形態に係る架台を良好に用いることができる。
【００２２】
また、本実施の形態においては、後述する「架台の主要構成材一覧表」に記載の各材料にて形成し、雨水貯留装置を保持する構造を有する架台を開示する。
【００２３】
なお、ここで雨水貯留装置は、例えば、雨水を貯留し前記雨水が含む不純物を沈殿させる「貯留・沈殿槽」１０００と、前記「貯留・沈殿槽」の水を受け入れて濾過する「濾過槽」１００１とを有して構成される。
【００２４】
＜実施例１＞
次に、「並列配置型架台」１００ａおよびその作製方法について説明する。
【００２５】
本実施例では、「並列配置型架台（一般ベランダ想定）」について説明する。
【００２６】
この「並列配置型架台」１００ａは、一般のベランダに配置することを想定し、「貯留・沈殿槽」１０００と「濾過槽」１００１とを横並びに設置する架台である。
【００２７】
以下、「並列配置型架台」１００ａを構成する各部品の役目と構造、組立て方を図面の流れに従って説明する。
【００２８】
（１）、各部品の役目と構造
各部品の使用材料は「架台の主要構成材一覧表」の１番から１２番までの材質の物を以って説明する。
【００２９】
図１および図２は、「架台の主要構成材一覧表」を示す表図であり、図１では１番から６番までを示し、図２では７番から１２番までを示す。
【００３０】
以後、この表図の番号を引用して「表の何番」（例えば「表の１」）と言う。また、不測定の空間表示にはギリシャ文字を用いた。従って、微小値表示はγ（ガンマ）である。
【００３１】
図３は、「並列配置型架台」１００ａを上方から見た平面図であって、「並列配置型架台」１００ａを構成する「揺動防止枠」１０１の外観を示す図である。
【００３２】
図４は、図３において円で囲って示すイ部の拡大平面図である。
【００３３】
図５は、図３において楕円で囲って示すロ部の拡大平面図である。
【００３４】
図６は、図３において楕円で囲って示すロ部の拡大側面図である。
【００３５】
図７は、「並列配置型架台」１００ａの底側に配置される「台座骨組」１０２を上方から見た平面図である。
【００３６】
図８は、「並列配置型架台」１００ａの主要部の正面図である。
【００３７】
図９（ａ）は、「並列配置型架台」１００ａを側方から見た断面図である。
【００３８】
図９（ｂ）は、「並列配置型架台」１００ａを正面から見た断面図である。
【００３９】
図１０は、「揺動防止枠」１０１の骨組みの仕口図であって、「端末管」と「桁」との接合部を示す図であり、（ａ）は「補助板」取付図を平面図で示し、（ｂ）は収まり図を平面図で示し、（ｃ）は「補助板」取付図を立面図で示し、（ｄ）は収まり図を立面図で示す。
【００４０】
図１１は、「揺動防止枠」１０１の骨組みの仕口図であって、「桁」と「揺動防止枠材」との接合部を示す図であり、（ａ）は平面図であり、（ｂ）は立面図である。
【００４１】
図１２は、「揺動防止枠」１０１の骨組みの仕口図であって、「包合管」と「揺動防止端末管」との接合部を示す図であり、（ａ）は相関の平面図であり、（ｂ）は収まりの平面図である。
【００４２】
図１３は、「揺動防止枠」１０１の骨組みの仕口図であって、「包合管」と「揺動防止端末管」との接合部を示す図であり、（ａ）は相関の正立面図であり、（ｂ）は収まりの正立面図であり、（ｃ）は収まりの側立面図である。
【００４３】
なお、図３の例では、「貯留・沈殿槽」１０００及び「濾過槽」１００１をベランダに設置する際に、この２つの槽を建物外壁（ベランダの背面）に沿って並べて配置する場合に用いる架台を示したが、図１４の例では、この２つの槽を建物外壁側（ベランダの背面）とベランダ手摺側とに配置する場合に用いる架台を示す。各部品構成は、図３の例と同じである。
【００４４】
図１４（ａ）は、図３とは槽の配置が異なる「並列配置型架台」１００ｂを上方から見た平面図であって、図１４（ｂ）は、「並列配置型架台」１００ｂの底側に配置される「台座骨組」１０２を上方から見た平面図である。
【００４５】
図１５は、架台の「柱脚」の詳細を示す縦断面図である。
【００４６】
図１６は、架台の「柱頭」の詳細を示す縦断面図である。
【００４７】
図１７は、架台の「突っ張り支柱」の「振れ止め」を示す縦断面図である。
【００４８】
図１８（ａ）は、架台の「振れ止め端末管」を示す横断面図であり、図１８（ｂ）は、架台の「管」が入れ子で２層になっている箇所における「管」同士を固定する「金物」の取付状態を示す図である。
【００４９】
図１９は、架台の「突っ張り支柱」において「管」が入れ子で３層になっている箇所の縦断面図である。
【００５０】
図２０は、架台の「管」が入れ子で３層になっている箇所における「管」同士を固定する「金物」の取付状態を示す図である。
【００５１】
図２１は、架台の「突っ張り支柱」の「柱頭」を示す縦断面図であって、設置箇所の天井がコンクリート直天井である場合に用いる構成の正断面図である。
【００５２】
図２２は、架台の「突っ張り支柱」の「柱頭」を示す縦断面図であって、設置箇所の天井が化粧板貼り天井である場合に用いる構成の、（ａ）は正断面図であり、（ｂ）は側断面図である。
【００５３】
図２３は、架台の「台座」の骨組みの仕口図であって、「台座端末管」と「梁」との接合部を示す図であり、（ａ）は「補助板」の取付図の平面図であり、（ｂ）は収まり図の平面図であり、（ｃ）は「補助板」の取付図の立面図であり、（ｄ）は収まり図の立面図である。
【００５４】
図２４は、架台の「台座」の骨組みの仕口図であって、「梁」と「小梁」との接合部を示す図であり、（ａ）は「補助板」の取付図の平面図であり、（ｂ）は収まり図の平面図であり、（ｃ）は「補助板」の取付図の立面図であり、（ｄ）は収まり図の立面図である。
【００５５】
図２５は、架台の「台座」の骨組みの仕口図であって、「小梁」同士の接合部を示す図であり、（ａ）は「補助板」の取付図の平面図であり、（ｂ）は収まり図の平面図であり、（ｃ）は「補助板」の取付図の立面図であり、（ｄ）は収まり図の立面図である。
【００５６】
図２６は、架台の「台座」の骨組みの仕口図であって、「台座板」の収まり図であり、（ａ）は平面図であり、（ｂ）は「台座板」部分拡大図であり、（ｃ）は（ａ）の立面図であり、（ｄ）は（ｂ）の立面図であり、（ｅ）は（ａ）の裏面平面図であり、（ｆ）は（ｂ）の裏面平面図である。
【００５７】
図２７（ａ）は架台の「突っ張り支柱」の「柱頭」収まりの斜視図であり、設置箇所の天井がコンクリート直天井である場合に用いる構成の図であり、図２７（ｂ）は架台の「突っ張り支柱」の「柱頭」収まりの斜視図であり、設置箇所の天井が化粧板貼り天井である場合に用いる構成の図であり、図２７（ｃ）は架台の「突っ張り支柱」の「柱脚」収まりの斜視図であり、図２７（ｄ）は架台の「突っ張り支柱」の「柱脚」収まりの平面図であり、図２７（ｅ）は架台の「突っ張り支柱」の「柱脚」収まりの立面図である。
【００５８】
なお、図３、図１４の例では、「貯留・沈殿槽」１０００及び「濾過槽」１００１をベランダに設置する際に、この２つの槽を平置きする（並列配置型）場合に用いる架台を示したが、図２８の例では、この２つの槽を縦に重ね置きする（直列配置型）場合に用いる架台を示す。各部品構成は、図３、図１４の例と同じである。
【００５９】
また、各管は、架台の骨組みに含まれる。
【００６０】
（ｉ）、「揺動防止枠」１０１（使用材料は「表の４」、「表の６」、「表の７」、「表の３」および「表の９」）
この「揺動防止枠」１０１は、地震発生時に「貯留・沈殿槽」１０００及び「濾過槽」１００１の移動、横揺れ、飛翔防止を目的とする。
【００６１】
形状は、図３の平面図に示す如くであるが、先ず「表の４」の正方形管を端末管としての長さ（x）の物６個を切り揃え、これに「表の７」の金属板で「補助板」としての大きさ（ａ′＊ｅ"）の物を14枚作製し、「桁」と接合させる全ての箇所に配し、その「補助板」の上下のみを隅肉溶接する。これは、横揺れの力が「端末管」に掛かった時、その接合部の応力を補うのを目的とする（図１０の「揺動防止枠骨組  仕口図」を参照。）。
【００６２】
次に「表の６」の長方形管を桁の長さ（Ａ−ｄ）の物7本を切り揃え、背使い（せづかい）にして「端末管」の「補助板」に嵌入させ、４辺を隅肉溶接し「桁」としての形を整える。次に、「桁」と同じ「表の６」の長方形管を容器の大きさに適合した長さの物８本を切り揃え、その両端を45度に切断し、図示の如く（図１１の「揺動防止枠骨組  仕口図」を参照。）「桁」と「桁」とを45度に繋ぎ「斜材」として溶接接合し、更に同じ「表の６」の長方形管を容器の大きさに適合した長さの物８本を切り揃え、その両端を45度に切断し、図示の如く（図１１の「揺動防止枠骨組  仕口図」を参照。）「斜材」と「斜材」とを「桁」と並行に繋ぎ渡して溶接し、「揺動防止枠」としての八角形を形成する（図３参照）。
【００６３】
それに加えて「突き棒」を挿入させる包含管を「表の３」の正方形管を用いて、図１２、図１３の「包含管及び揺動防止端末管接合部  仕口図」で示した如く加工し、同図の如く接合部を隅肉溶接しこれを取付ける。その「包含管」には「固定金物」を取付ける為の穴を事前に開けて置く（図３の「揺動防止枠  平面図」、図１６の「柱頭縦断面  詳細図」参照。）。
【００６４】
また、八角形の枠のそれぞれの辺の中央部の、容器（「貯留・沈殿槽」１０００や「濾過槽」１００１）と接する箇所には、「表の９」の「ゴム板」を適当な大きさに切断した物８枚を貼付ける。これは緩衝ゴムとして、容器（槽）への衝撃の緩和を目的とする。
【００６５】
なお、先の「表の９」の「ゴム板」を「端末管」と同じ大きさに切断し、外壁に面した「端末管」に緩衝ゴムとして貼り付ける（図１２（ｂ）の「包含管及び揺動防止端末管接合部  仕口図、収まり  平面図」参照。）。
【００６６】
この項でいう「桁」とは、重力を受けない横架材を言う。下記「梁」は重力を受ける横架材を指し、敢えて、呼び名を分けた。
【００６７】
（ｉｉ）、「台座骨組」１０２（使用材料は「表の４」「表の６」「表の７」）
この「台座骨組」１０２は、「貯留・沈殿槽」１０００や「濾過槽」１００１を載せるのを目的とする。両槽の荷重はかなり重いので「端末管」と「梁」、「梁」と「小梁」、「小梁」と「小梁」の接合部には垂直荷重への耐久力を補う目的で「表の７」の金属板を加工し、これを「補助板」として全ての接合部に配置し、二重接合とし強度を増すことに重点を置く。
【００６８】
形状は図７の「台座骨組  平面図」の如くであるが、先ず前号「揺動防止枠」同様、「表の４」の正方形管を「端末管」としての長さ（x）の物６個切り揃え、これに「表の７」の金属板で「補助板」としての大きさ（ａ"＊ｅ′）の物26枚を作製し、「端末管」、「梁」、「小梁」の接合する全ての箇所にこの「補助板」を配し、その「補助板」の左右のみを隅肉溶接する（図２３、２４、２５の「台座骨組  仕口図」、すなわち、図２３（ａ）、（ｂ）の「台座端末管及び梁接合部  平面図」、図２３（ｃ）、（ｄ）の「台座端末管及び梁接合部  立面図」、図２４（ａ）、（ｂ）の「梁及び小梁接合部  平面図」、図２４（ｃ）、（ｄ）の「梁及び小梁接合部  立面図」、図２５（ａ）、（ｂ）の「小梁同士接合部  平面図」、図２５（ｃ）、（ｄ）の「小梁同士接合部  立面図」参照。）。
【００６９】
その作製順序は、先に「小梁(1)」の補助板に「小梁(2)」を嵌入させて入角を隅肉溶接し「十の字」の物２個を作り、次に中央の「梁」にそれらを取付け「ほう（豊の簡体字である『横棒３本を縦棒で突き刺した文字』《インターネット出願ソフトで表示不可能であるためこのように表現する》）の字」を形成し、この様に中央から周辺部に向かって組み上げ、「端末管」と「梁」の接合部は４辺を隅肉溶接しこれを完成させる。
【００７０】
（ｉｉｉ）、「柱脚支柱」１０３（使用材料は「表の４」「表の７」「ボルト」）
この「柱脚支柱」１０３は、「台座」の高さを決める物であり、且つ容器（槽）内に貯留された水の重量を管の軸と同じ垂直方向に受止めると共に、台座面の水平保持を目的とする。
【００７１】
「柱脚管」の長さ（Ｃ）は、「濾過槽」１００１の雨水取出し水栓の高さと、それを受ける容器の背の高さを勘案して決める。
【００７２】
先ず、「表の７」の金属板で一辺の長さ（ｆ）の正方形の板６枚を切り揃え、その板の中心に調節ボルトに適合した雌ネジを切り「基盤」と成る物を作製する。次に「表の４」の正方形管を「柱脚管」として長さ（Ｃ）の物を６本切り揃え、これ等を「基盤」に隅肉溶接し、加えて夫々の「基盤」に調節ボルトとしての充分な長さのあるボルトを捩入れ、「柱脚支柱」を完成させる（図１５の「柱脚縦断面  詳細図」、図２７（ｃ）、（ｄ）、（ｅ）の「突っ張り支柱  柱脚収まり図  斜視図  平面図  立面図」参照。）。
【００７３】
（ｉｖ）、「架台管(1)」１０４（使用材料は「表の４」）
この「架台管(1)」１０４は、例えば地震発生時において、「貯留・沈殿槽」１０００や「濾過槽」１００１が「揺動防止枠」１０２により横揺れを防止するのに有効な高さを定めるのを目的とする。
【００７４】
この「架台管(1)」１０４は、柱脚管と同じ「表の４」の部材を揺動防止に適した長さ（Ｄ）の物６本で構成する。特別な加工はない。
【００７５】
（ｖ）、「挿入管(1)」１０５（使用材料は「表の２」）
この「挿入管(1)」１０５は、「表の２」の正方形管で作製し、下記「挿入管(2)」（「表の３」の部材で作製）に挿入し、建物の外壁面に添って配置し、「挿入管(2)」と連携させ、ベランダの床と天井との間に「突っ張り棒」を構成し、上下を圧着固定し、装置全体の移動防止を目的とする。
【００７６】
先ずは、設置するベランダの床から天井までの高さを計り、基本となる「挿入管(1)」１０５の長さ（Ｌ1）を決める。これは、高層集合住宅に於ける設置を第一の目的とした故、引越し、梱包、エレベーターの使用、ベランダでの組立て等を考慮し、ベランダの天井高の３分の２程度が最良であろうと推測すると共に、この「挿入管(1)」１０５の長さ（Ｌ1）を最長の物と考えた。
【００７７】
従って、「表の２」の正方形管を長さ（Ｌ1）の物２本を切り揃え、組立て時に便利なように上部に千枚通しの通る程度の孔を開けて置く（図２１の「突っ張り支柱  柱頭部  縦断面図」参照。）。
【００７８】
（ｖｉ）、「挿入管(2)」１０６（使用材料は「表の３」）
この「挿入管(2)」１０６は、上記「挿入管(1)」１０５を包含すると共に、「柱脚管」、「台座端末管」、「架台管」、「揺動防止枠端末管」、「補強管(2)」等々の中に挿入し、前（ｖ）の項の「挿入管(1)」１０５を天井面まで伸ばし、「突っ張り支柱」を形成し、装置全体の固定を目的とする。
【００７９】
「表の３」の正方形管を長さ（Ｌ2）の物２本を切り揃え、「挿入管(1)」１０５と「挿入管(2)」１０６とを固定する為の「固定金物（ロ）」、及び「挿入管(1)」１０５と「挿入管(2)」１０６及び「補強管(2)」を固定する為の「固定金物（ハ）」の位置に「固定金物」の圧着部が入る穴２箇所を開ける（図９（ａ）の「架台全体  側断面図」、図９（ｂ）の「架台半分及び突っ張り支柱  正断面図」、図１７の「突っ張り支柱振れ止め  縦断面図」、図１９の「突っ張り支柱３層部  縦断面図」参照。）。
【００８０】
「挿入管(2)」１０６の長さ（Ｌ2）は、組み立てる時に便利な様に「挿入管(1)」１０５の長さ（Ｌ1）より、上部の「頭繋ぎ端末管」の長さ（ｙ）を減じた物とする。すなわち、（Ｌ2）＝（Ｌ1）−（ｙ）である。
【００８１】
（ｖｉｉ）、「挿入管(3)」１０７（使用材料は「表の３」）
この「挿入管(3)」１０７は、前（ｖｉ）の項の「挿入管(2)」１０６と同じ「表の３」の正方形管で作製し、「突っ張り支柱」が施されない他の４箇所の「柱脚管」、「台座端末管」、「架台管」、「揺動防止枠端末管」の中に挿入し、架台全体の形成を目的とする。
【００８２】
「表の３」の正方形管を「柱脚支柱」の基盤上面から「揺動防止枠端末管」上端までの長さ（Ｌ3）の物４本を切り揃え、それらを上記の夫々の管に挿入する。特別の加工はない。
【００８３】
（ｖｉｉｉ）、「柱頭塞ぎ」１０８（使用材料は「表の２」「表の８」）
この「柱頭塞ぎ」１０８は、上記「挿入管(3)」１０７の柱頭小口を塞ぎ、体裁を整えると共に「揺動防止枠」の外れ防止及び小口天端から虫等の侵入防止を目的とする。
【００８４】
部材は「表の８」の金属板を「揺動防止枠」の「端末管」と同じ大きさの正方形（ｄ＊ｄ）の板４枚を作り、「表の２」の正方形管を凡そ「端末管」の２倍の長さ（２ｘ）の物を４本切り揃え、上記金属板の中央に辺を揃えて隅肉溶接し、「挿入管(3)」の柱頭部から挿入させて蓋をする（図８の「架台主要部  正面図」、図１６の「柱頭縦断面  詳細図」参照。）。
【００８５】
（ｉｘ）、「補強管(2)」１０９（使用材料は「表の４」）
この「補強管(2)」１０９は、地震発生時、揺動防止枠に横揺れの力が働いた時、移動防止の主要構造物である突っ張り支柱の「挿入管(2)」１０６の「揺動防止枠」１０１に近い部分の屈曲防止を目的とする。
【００８６】
「表の４」の正方形管を長さ（Ｅ）物２本を切り揃え、（ｖｉ）の項の「挿入管(2)」１０６の「固定金物（ハ）」の高さに適合する位置に、「固定金物」の取付けの為の穴あけ加工する。これは、「突っ張り支柱」に掛かる横揺れを防ぐ為の「補強管(2)」１０９の防止力が、「固定金物（ハ）」を通じて「挿入管(1)」１０５にも伝わり、支柱の３層を１本に纏めることに拠り、強度を補完させる（図１９の「突っ張り支柱３層部  縦断面図」、図２０の「３層部固定金物  取付け図」参照。）。長さ（Ｅ）については組立て時に「挿入管(1)」１０５と天井との空きを考慮する。
【００８７】
（ｘ）、「振れ止め」１１０（使用材料は「表の３」「表の６」）
この「振れ止め」１１０は、２本の「突っ張り支柱」の中間部を連携させ、振れ応力を補完し合うことを目的とする。
【００８８】
「表の３」の正方形管を長さ（ｘ）の物２個を切り揃えそれを「端末管」とし、次に「表の６」長方形管を長さ（Ａ−ｃ）の物１本を切り、それを背使いにして夫々の「端末管」の中央に隅肉溶接しこれを作製する（図１７の「突っ張り支柱  振れ止め  縦断面図」参照。）。
【００８９】
（ｘｉ）、「補強管(1)」１１１（使用材料は「表の３」）
この「補強管(1)」１１１は、「挿入管(1)」１０５の強度を補強することを目的とする。
【００９０】
「表の３」の正方形管を適当な長さ（Ｆ）に切り揃えた物２本作製する（図２１の「突っ張り支柱  柱頭部  縦断面図」参照。）。
【００９１】
（ｘｉｉ）、「頭繋ぎ」１１２（使用材料は「表の３」「表の６」）
この「頭繋ぎ」１１２は、天井面に延びた２本の「挿入管(1)」（突き棒）１０５を繋ぎ安定させると共に、「頭繋ぎの端末管」１１２と「挿入管(1)」１０５とを「固定金物（イ）」で固定し、２本の「挿入管(1)」１０５を同時に押上げられるのを目的とする。
【００９２】
先ず、「表の３」正方形管で長さ（ｙ）の物２本を切り揃え、それに「固定金物」の圧着部が入る穴を開ける。次に、「表の６」の長方形管を前（ｘ）の項の「振れ止め」同様の長さ（Ａ−ｃ）の物を背使いにし、金物取り付けの穴の向きを勘案して、「端末管」に隅肉溶接しこれを作製する（図２１および図２２の「突っ張り支柱  柱頭部  縦断面図」参照。）。
【００９３】
（ｘｉｉｉ）、「押板」１１３（使用材料は「表の１」「表の８」「表の９」）
この「押板」１１３は、「突っ張り支柱」の小口（最上面）をベランダの天井面に蜜着させるのを目的とする。
【００９４】
先ず「表の８」の金属板を「表の３」の正方形管と同じ大きさ（ｃ＊ｃ）の板２枚を作り、次に「表の１」の正方形管を長さ（ｚ）に切り揃えた物２本を上記の板の中央に隅肉溶接し「押板」の挿入部を作り、更に「表の９」のゴム平板を上記板の大きさ（ｃ＊ｃ）に切り、金属板の上面に接着剤にて貼付け固定する（図２１の「突っ張り支柱  柱頭部  縦断面図」「コンクリート直天井  正断面図」または、図２７（ａ）の「突っ張り支柱  柱頭収まり  斜視図  コンクリート直天井図」参照。）。
【００９５】
近年デザイン的観点などから、ベランダの天井にも化粧板が施されることが多々見受けられる。従って、その圧着方法は以下に示す。また、ベランダの天井を軒と見做し、「軒天（のきてん）」と言う。
【００９６】
（ｘｉｖ）、「天井受け材(1)」１１４（使用材料は「表の６」）
この「天井受け材(1)」１１４は、化粧天井の野縁と同一方向に複数本流して固定し、次の「天井受け材(2)」１１５を安定的に固定させるのを目的とする。
【００９７】
「表の６」の長方形管を適当な長さに複数本切り揃え、その長方形管の片方の平面にビス頭が貫入できる程度の穴を120mm〜150mm程の間隔で事前に開け、天井板の野縁を確認し、その野縁と同一方向にタッピングビスにて強固に固定する（図２２の「突っ張り支柱  柱頭部  縦断面図」及び図２７（ｂ）の「突っ張り支柱  柱頭収まり  斜視図」参照。）。
【００９８】
野縁の確認は建築に精通した者すなわち当業者であれば直ぐに分かるものである。
【００９９】
（ｘｖ）、「天井受け材(2)」１１５（使用材料は「表の６」）
この「天井受け材(2)」１１５は「突っ張り支柱」の小口が当たる箇所に、前述の（ｘｉｖ）の項の「天井受け材(1)」１１４と井桁方向に設置し、天井「突っ張り支柱」の先端を直接受け止めるのを目的とする。
【０１００】
前述の（ｘｉｖ）の項と同じ「表の６」の長方形管を先に設置した「天井受け材(1)」１１４の複数本に絡む長さ物２本を切り揃え、「天井受け材(1)」１１４との接点となる箇所に、前述の（ｘｉｖ）の項と同様にビスの頭が貫入できる程度の穴を開ける（図２２の「突っ張り支柱  柱頭部  縦断面図」「化粧板貼り天井  正断面図」「同  側断面図」参照。）。
【０１０１】
この「天井受け材(2)」１１５の固定方法の説明は、次項(2)の「並列配置型架台の組立て」の項で行う。
【０１０２】
（ｘｖｉ）、「天井部外れ止め」１１６（使用材料は「表の７」）
この「天井部外れ止め」１１６は、前述の（ｘｖ）の項の「天井受け材(2)」１１５に付随し、「挿入管(1)」１０５の「突っ張り支柱」の「柱頭」を嵌入させて固定するのを目的とする。
【０１０３】
「表の７」の金属板を「口の字形」に加工し、これを「天井受け材(2)」に接着固定し、直接「挿入管(1)」１０５の先端を嵌入させる物である（図２２の「突っ張り支柱  柱頭部  縦断面図  化粧板貼り天井図」及び図２７（ｂ）の「突っ張り支柱  柱頭収まり  斜視図  化粧板貼り天井図」参照。）。
【０１０４】
（ｘｖｉｉ）、「突き棒」１１７（使用材料は「表の２」）
この「突き棒」１１７は、「揺動防止枠の包含管」に挿入し、その「包含管」と連携し地震発生時、横揺れに因り「貯留・沈澱槽」及び「濾過槽」に掛かる移動の力を防ぎ、両槽の安定を目的とする。
【０１０５】
「表の２」の金属正方形管をベランダの幅に有効な長さの物２本を切り揃え、組立て前に「揺動防止枠」に付随した包含管の中に挿入させて置く（図３の「並列配置型架台骨組図」「揺動防止枠  平面図」、図４、図５、図６の「部分構成図」参照。）。
【０１０６】
（ｘｖｉｉｉ）、「突き棒の押板」１１８（使用材料は「表の１」「表の８」）
この「突き棒の押板」１１８は、「突き棒」１１７の先端を「受け板」１１９の「ワ」の字の金物（「表の12」）中「ｇ」に嵌め込み地震時の横揺れの力を「突き棒」１１７を介して「受け板」１１９に伝えるのを目的とする。
【０１０７】
先ず、「表の８」の金属板を一辺の大きさ（ｇ）の正方形の板２枚を作製し、次に、「表の１」の正方形管を適当な長さの物２本を切り揃え、金属板の中央に隅肉溶接する。
【０１０８】
なお、正方形管の適当な長さとは、ベランダの有効幅（Ｂ）と（ｘｖｉｉ）の項の「突き棒」１１７の長さを勘案して決める。また、（ｇ）の寸法は次の（ｘｉｘ）の項の「受け板」１１９より算出する。
【０１０９】
（ｘｉｘ）、「受け板」１１９（使用材料は「表の９」「表の12」）
この「受け板」１１９は、ベランダの格子に密着させ、「突き棒」１１７を介して伝えられる横揺れの力を受止め、架台の移動防止を目的とする。
【０１１０】
先ず、「表の12」の「ワの字」の金物を少なくとも格子の３本以上に掛かる長さに切り揃えた物２本に、その背面に「表の９」の平ゴムを「受け板」１１９に合わせて接着固定しこれを作製する（図５、図６の「並列配置型架台骨組図  部分構成図」参照。）。
【０１１１】
近年の集合住宅のベランダは、縦格子タイプのものが少なく成っている。従って、この「受け板」１１９を設置できる様に補助材の施工を行わなければ成らないが、それは現場の状況により様々である。故に、この（ｘｉｘ）の項は、現場の状況に対処するのがよい。
【０１１２】
（ｘｘ）、「床部外れ止め」１２０（使用材料は「表の10」）
この「床部外れ止め」１２０は、地震時に床面に於ける装置全体の移動防止を目的とする。
【０１１３】
「表の10」の硬質プラスチックにて、「Ｌ」字形に切断加工し、これを４個作製する（図２７（ｃ）、（ｄ）、（ｅ）の「突っ張り支柱  柱脚収まり図」参照。）。
【０１１４】
（ｘｘｉ）、「台座板」１２１（使用材料は「表の10」）
この「台座板」１２１は、台座骨組の上に設置し、「貯留・沈殿槽」及び「濾過槽」の据付けを目的とする。
【０１１５】
「表の10」の硬質プラスチックにて、台座骨組み、容器の大きさ、それに付随する配管等を勘案し、適当な大きさの８角形に切断加工し、これを２枚作製する（図２６の「台座板  収まり図」参照。）。
【０１１６】
（ｘｘｉｉ）、「外れ止め緩衝ゴム」１２２（使用材料は「表の11」）
この「外れ止め緩衝ゴム」１２２を「台座板」１２１裏面に取付け、「台座骨組」と絡めて台座板１２１が骨組みから外れるのを防止すると共に、「台座板」１２１を骨組の中心に設置することを目的とする。また、これを据え付けるビスの先端を「台座板」１２１の上面に貫通させ、突起を作りその場所に「敷きゴム」１２３を設置することにより、地震発生時、槽に掛かる回転力（モーメント）に因り、敷きゴム１２３が容器からの外れ防止にも役立つことが期待できる。
【０１１７】
この「表の11」のゴム管１２２の作製は、まず、直径20mm内外のゴム管の内径に見合った程度のゴム管を挿入し、更にそのゴム管の内径に見合った程度のゴム管を挿入し、３層構造のゴム管を作製し、これを適当な長さに切り揃えた物8個を作り、それに長めのタッピングビスにワッシャーを掛けて、「台座板」１２１裏面に固定し、先端を「台座板」１２１の上面に突き出す（図２６の「台座板  収まり図」参照。）。
【０１１８】
（ｘｘｉｉｉ）、「敷きゴム」１２３（使用材料は「表の９」）
この「敷きゴム」１２３は、容器（槽）の糸底に設置し、容器の居着きを安定させること、及び「台座板」１２１を介してこの「敷きゴム」１２３の直下の４本の「小梁」に「槽」の重量を均等に伝えることを目的とする。
【０１１９】
「表の９」のゴムの平板を適当な大きさに切り揃えた物８枚を、容器の糸底腺を勘案し、「台座板」１２１上面に突き出たビスの突起に絡めてこれを設置する。
【０１２０】
（ｘｘｉｖ）、「底央支持」１２４（使用材料は「表の９」）
この「底央支持」１２４は、容器内に貯留された水や濾過材により、容器の底面の変形防止を目的とする。しかし、容器の底の形状が「貯留・沈澱槽」１０００と「濾過槽」１００１では違うので、そのことを考慮してその厚みを決める。
【０１２１】
まず、「表の９」の平板ゴムを容器の底央に見合った大きさに円形に切り揃えた物４枚を作製する。
【０１２２】
次に、「貯留・沈澱槽」１０００の場合、水を容器の周辺部に寄せたいので底央を高くする必要がある。故に、切り揃えた３枚のゴム板を接着剤にて貼り合わせる。
【０１２３】
「濾過槽」１００１の場合、水を中央に集めたいのでそのままの物が良い。
【０１２４】
（２）、以下、上述の並列配置型架台（一般ベランダ想定）の組立てについて説明する。
【０１２５】
（ａ）、先ず、2本の「挿入管(1)」１０５を「挿入管(2)」１０６の夫々に挿入し、「固定金物(ロ)」を仮付けする（図９、図１８（ｂ）参照。）。
【０１２６】
（ｂ）、「台座骨組」１０２を「柱脚支柱」１０３の長さよりやや低めの「台」の上に平に置き、図７の「台座骨組  平面図」で示した、「突っ張り支柱」の位置の「台座端末管」の下に「柱脚支柱」１０３を配し、前述（ａ）の項の「挿入管(1)」１０５を包含した「挿入管(2)」１０６の２本を建物外壁に沿った「台座端末管」の上から「柱脚管」へ挿入し、その他の４箇所には「挿入管(3)」１０７を同様に「柱脚支柱」１０３の夫々に挿入し、組立てに用いた「台」を取除き、一応の台の形を整える。
【０１２７】
（ｃ）、２本の「挿入管(2)」１０６に仮付けされた「固定金物（ロ）」を取外し、「架台管(1)」１０４の2本を「挿入管(1)、(2)」１０５、１０６の頂きを介して包含し、その他４本の「挿入管(3)」１０７の夫々にも「架台管(1)」１０５を包含させる。
【０１２８】
（ｄ）、「揺動防止枠」１０１の両方の「包含管」に「突き棒」１１７を挿入し、「金物取付け穴」の向きを確認し、「枠の端末管」を２本の「挿入管(1)、(2)」１０５、１０６の頂を介して通して下ろし、他の４箇所の「端末管」は「挿入管(3)」１０７に嵌め込み、「架台管(1)」１０４の上に置いて架台の形を作る。
【０１２９】
（ｅ）、「挿入管(3)」１０７の４箇所の頂に「前述の(1)の（ｖｉｉｉ）の項」の「柱頭塞ぎ」１０８を施す。
【０１３０】
（ｆ）、「補強管(2)」１０９の２本を「固定金物（ハ）」の穴の向きを確認し、「挿入管(1)、(2)」１０５、１０６の頂きから包含する。
【０１３１】
（ｇ）、「振れ止め１１０の端末管」を「挿入管(1)」１０５の上部を包含させる。
【０１３２】
（ｈ）、「補強管(1)」１１１に「挿入管(1)」１０５を挿入し、「挿入管(1)」１０５を下から押上げ、突き抜けたところで「カンザシ孔」に千枚通しを刺し、「挿入管(1)」１０５の落下を防ぎ、同様に２本目も行う（図２２（ａ）、（ｂ）の「突っ張り支柱  柱頭部  縦断面図」、「化粧板貼り天井  正断面図  側断面図」参照。）。
【０１３３】
（ｉ）、「頭繋ぎ１１２の端末管」を２本の「補強管(1)」１１１の最上部に包含させ、端末管の夫々に「固定金物(イ)」を取付け、千枚通しの２本を引き抜く（図１８（ｂ）の「２層部  固定金物取付け図」（イ）参照。）。
【０１３４】
（ｊ）、「前述の(1)の（ｘｉｉｉ）項の押板」１１３の挿入部を「挿入管(1)」１０５の頂に挿入する。
【０１３５】
（ｋ）、「頭繋ぎ」１１２の中央部を押上げ、「挿入管(1)」１０５を突っ張り支柱として天井に密着させる（図２１の「突っ張り支柱  柱頭部  縦断面図」「コンクリート直天井  正断面図」参照。）。
【０１３６】
（ｌ）、前述の（ｋ）の項の作業を保持し、「振れ止め」１１０下の「固定金物(ロ)」を取り付け、更に「固定金物(ハ)」を取り付ける（図１８の「２層部  固定金物  取付け図」、図２０の「３層部  固定金物  取付け図」参照。）。
【０１３７】
（ｍ）、化粧天井の場合は、「前述の(1)の（ｘｉｖ）の項」で「天井受け材(1)」１１４が事前に取付けられた箇所に「突っ張り支柱」の頂き２箇所を当て、その部分を特定し、そこに当る様に「前述の(1)の（ｘｖ）の項」の「天井受け材(2)」１１５を「天井受け材(1)」１１４と井桁に配しタッピングビスで取付ける。
【０１３８】
（ｎ）、「挿入管(1)」１０５の頂きが当たる、「天井受け材(2)」１１５の２箇所に「前述の(1)の（ｘｖｉ）の項」の「ロの字」の「天井部外れ止め」１１６を貼付ける。
【０１３９】
（ｏ）、「頭繋ぎ」１１２の中央部を押上げて、「挿入管(1)」１０５の頂きを「外れ止め」１１６に嵌入させる（図２２の「化粧板貼り天井  正断面図  側断面図」参照。）。
【０１４０】
（ｐ）、前述の（ｏ）の項の作業を保持し、前述の（ｌ）の項の作業を行う。
【０１４１】
（ｑ）、前述の（ｌ）の項、（ｐ）の項で架台骨組みのおおよそは組み上がりであるが、「固定金物（ロ）、（ハ）」の締付けを更に確認し、床面の調節ボルトを締めて、「突っ張り支柱」を天井面に圧着させる（この時台座骨組みの水平も確認する）。
【０１４２】
（ｒ）、前述の（ｑ）の項が完了したら、「前述の(1)の（ｘｘ）の項」の「床部外れ止め」１２０の「Ｌ字形」の部品４個を調節ボルトに絡めて、床面に接着剤で固定する。
【０１４３】
（ｓ）、「台座骨組」１０２に完成された「台座板」１２１を載せ、両槽の糸底部に「敷きゴム」１２３を敷き、「貯留・沈殿槽」１０００の底央支持には３層の物を用い、「濾過槽」１００１の底央支持には敷きゴム１２３と同じ厚みの物を用いる。
【０１４４】
（ｔ）、「揺動防止枠１０１の包含管」に挿入されている「突き棒」１１７を引き出し、「前述の(1)の（ｘｖｉｉｉ）の項」の「突き棒の押板」１１８を「突き棒」１１７の先端に挿入し、受け面と成る手摺の格子に「前述の(1)の（ｘｉｘ）の項」の「受け板」１１９を現場に即した方法で取り付ける。
【０１４５】
（ｕ）、「突き棒」１１７の「押板」１１８を受け板１１９の「ワ形」内側に嵌入させ、「揺動防止枠」１０１の「包含管の金物取付け部」に「固定金物（へ）」を取付け、「突き棒」１１７を強固に固定する。
【０１４６】
この実施例１に係る発明では、
雨水を貯留し前記雨水が含む不純物を沈殿させる貯留・沈殿槽と、前記貯留・沈殿槽の水を受け入れて濾過する濾過槽とを有する雨水貯留装置をベランダに配置し保持する架台であって、
前記雨水貯留装置の各槽のそれぞれを支持する揺動防止枠と、
前記揺動防止枠を支持する骨組みと、
前記ベランダの背面から手摺までの間に延伸して前記骨組みを支持する突き棒と、
前記ベランダの床から天井までの間に延伸して前記骨組みを支持する突っ張り支柱と、
を有することとした。
【０１４７】
また、
前記貯留・沈殿槽と、前記濾過槽とを横並びに配置することとした。
【０１４８】
本発明によれば、架台を容易に組み立て可能であり、ベランダに対して脱着容易である。
【０１４９】
＜実施例２＞
本実施例では、「並列配置型架台（幅広ベランダ想定）」について説明する。
【０１５０】
この「並列配置型架台（幅広ベランダ想定）」は、実施例１の「並列配置型架台（一般ベランダ想定）」の設置方向が、建物と直角方向に向きが変わっただけであり、従って、前述の「実施例１の(1)の（ｉ）の項」の「揺動防止枠」１０１に於ける「包含管」及び「突き棒」１１７の長さが長く成った。
【０１５１】
しかし、前述の「実施例１の(1)の（ｘｉｘ）の項」の手摺内側に付ける「受け板」１１９の長さを短く出来るのでこれを１枚にし、左右の「突き棒」１１７の働きを連携させることが出来る。
【０１５２】
以後、後述する「実施例３の直列配置型架台（狭小ベランダ想定）」及び、後述する「実施例４の高強度直列配置型架台」は、この方式の物とする。
【０１５３】
この「受け板」１１９の部分以外、特別な変化は無い。従って、「各部品の役目と構造」及び「並列配置型架台の組立て」の説明は省略する。
【０１５４】
この実施例２に係る発明では、
雨水を貯留し前記雨水が含む不純物を沈殿させる貯留・沈殿槽と、前記貯留・沈殿槽の水を受け入れて濾過する濾過槽とを有する雨水貯留装置をベランダに配置し保持する架台であって、
前記雨水貯留装置の各槽のそれぞれを支持する揺動防止枠と、
前記揺動防止枠を支持する骨組みと、
前記ベランダの背面から手摺までの間に延伸して前記骨組みを支持する突き棒と、
前記ベランダの床から天井までの間に延伸して前記骨組みを支持する突っ張り支柱と、
を有することとした。
【０１５５】
また、
前記貯留・沈殿槽と、前記濾過槽とを横並びに配置することとした。
【０１５６】
＜実施例３＞
本実施例では、「直列配置型架台の作製（狭小ベランダ想定）」について説明する。
【０１５７】
この形式は、狭小ベランダを想定し、「貯留・沈殿槽」１０００と「濾過槽」１００１を縦に配置し、狭い場所でも設置を可能にしたものである。結果としては、「貯留・沈殿槽」１０００が高所に座り、「濾過槽」１００１への送水は弁の開閉のみで行えるので、使い勝手としてはこの形式の方が便利である。
【０１５８】
各部品の役目と構造、組立て方を図面の流れに従って説明する。但し、詳細についての説明で、「実施例１の並列型架台の作製（一般ベランダ想定）」と重複する箇所は省く。
【０１５９】
図２８は、「直列配置型架台」１００ｃを示す図であって、（ａ）は「直列配置型架台」１００ｃの上部の「頭繋ぎ枠」を上方から見た平面図であり、（ｂ）は「直列配置型架台」１００ｃにおいて「濾過槽」を保持する「揺動防止枠」を上方から見た平面図であり、（ｃ）は「直列配置型架台」１００ｃの底側に配置される「台座骨組」を上方から見た平面図であり、（ｄ）は「直列配置型架台」１００ｃの骨組みを示す正面図である。
【０１６０】
図２９は、図２８（ｄ）に示した「直列配置型架台」１００ｃの骨組みを示す斜視図である。
【０１６１】
（１）、各部品の役目と構造
（ｉ）、「頭繋ぎ枠」２００（使用材料は「表の３」「表の６」「表の８」）
これは、地震発生時に様々な揺れに因り、装置全体に発生する応力による歪み及び捩れを防止することを目的とする。
【０１６２】
形状は図２８（ａ）の「頭繋ぎ枠  平面図」の如くであるが、先ず「表の３」の正方形管を長さ（ｙ）の物４本を切り揃え、それに固定金物の圧着部が入る穴を開ける。次に「表の６」の長方形管を長さ（Ａ−ｃ）の物４本を切り揃え、それを背使いにし、金物取り付けの穴の向きを勘案して、端末管に隅肉溶接する。そして、「表の８」の金属板を用い、一辺の長さ（Ａ＋ａ）の正方形の板を作り、その板の四隅を適当に45度に切落とし、それを枠の外面（そとづら）に合わせて適当な間隔にタッピングビスで固定する（図２８（ｄ）の「架台骨組  正面図」参照。）。
【０１６３】
（ｉｉ）、「揺動防止枠(1)」２０１（使用材用は「表の４」「表の６」「表の７」「表の３」「表の９」）
これは、地震発生時に「濾過槽」１００１の移動、横揺れ、飛翔防止を目的とする。
【０１６４】
形状は図２８（ｂ）「揺動防止枠(1)  平面図」の如くであり、部品の本数に違いがあるものの、製作の手順や仕口は「実施例１の(1)の（ｉ）の項の揺動防止枠１０１」と同じなので、ここでの説明は省く。
【０１６５】
（ｉｉｉ）、「揺動防止枠(2)」２０２（使用材料は「表の４」「表の６」「表の７」）
これは、地震発生時に「貯留・沈殿槽」１０００の移動、横揺れ、飛翔防止を目的とする。
【０１６６】
この図面は敢えて描いてはないが、「揺動防止枠(2)」２０２は、「揺動防止枠(1)」２０１の「突き棒包含管」が無い物であり、それ以外の製作の手順は「揺動防止枠(1)」２０１と同じである。
【０１６７】
（ｉｖ）、「台座骨組」２０３（使用材料は「表の４」「表の６」「表の７」）
これは、「貯留・沈殿槽」１０００及び「濾過槽」１００１を載せるのを目的とする。
【０１６８】
形状は図２８（ｃ）の「台座骨組  平面図」の如くであり、製作数は同じ物２枚であるが、部品の本数に違いがあるものの、製作の手順や仕口は「実施例１の(1)の（ｉｉ）の項の『台座骨組』１０２」と同じなので、ここでの説明は省く。
【０１６９】
（ｖ）、「柱脚支柱」１０３（使用材料は「表の４」「表の７」「ボルト」）
目的、製作の手順、仕口等は前「実施例１の(1)の（ｉｉｉ）の項の『柱脚支柱』１０３」と同じである。但し、製作本数は４本である。
【０１７０】
（ｖｉ）、「架台管(1)」１０４（使用材料は「表の４」）
目的、製作の手順、仕口等は前「実施例１の(1)の（ｉｖ）の項の『架台管(1)』１０４」と同じである。但し、製作本数は４本である。
【０１７１】
（ｖｉｉ）、「挿入管(1)」１０５（使用材料は「表の２」）
これは、下記（ｖｉｉ）の項の「挿入管(2)」１０６に挿入し、「挿入管(2)」１０６と連携してベランダ床と天井との間を突っ張り、装置全体を固定させることを目的とする。
【０１７２】
製作の手順は、「実施例１の(1)の（ｖ）の項の『挿入管(1)』１０５」と同じくし、「表の２」の正方形管で長さ（Ｌ1）の物４本を切り揃え、上部の（ｙ）下がった位置に組立て用のカンザシ孔を開ける。
【０１７３】
（ｖｉｉｉ）、「挿入管(2)」１０６（使用材料は「表の３」）
これは、前記（ｖｉｉ）の項の「挿入管(1)」１０５を包含し、「挿入管(1)」１０５と連携してベランダ床と天井との間を突っ張り、装置全体を固定させると共に、「柱脚管」２０４、「台座骨組(1)  端末管」２０５、「架台管(1)」１０４、「揺動防止枠(1)  端末管」２０６、「架台管(2)」２０７、「台座骨組(2)  端末管」２０８、「架台管(3)」２０９、「揺動防止枠(2)  端末管」２１０の夫々に挿入し、「直列配置型架台」全体の形態を整えること、及び「挿入管(1)」１０５、「挿入管(2)」１０６と「架台管(2)」２０７、「架台管(3)」２０９を「固定金物」２１１で圧着固定し３本の管を束ね、装置全体の強度を補完することを目的とする（図２０の「並列配置型架台図  突っ張り支柱  ３層部固定金物取付け図（ハ）」参照。）。
【０１７４】
この「挿入管(2)」１０６は「表の３」の正方形管を用い長さ（Ｌ2）の物４本を切り揃える。その長さ（Ｌ2）は先の「実施例１の(1)の（ｖｉ）の項の『挿入管(2)』１０６」と同じである。しかし、「挿入管(2)」１０６の夫々に「架台管(2)」２０７、「架台管(3)」２０９に関わる「固定金物(3)」２１１、「固定金物(2)」２１１に見合った高さに「固定金物」の取付け用の穴を開ける。
【０１７５】
（ｉｘ）、「架台管(2)」２０７（使用材料は「表の４」）
これは、上部の「貯留・沈殿槽」１０００の垂直荷重を支えること、及び下部「濾過槽」１００１の脱着、管理を目的とする。
【０１７６】
これは、「架台管(1)」１０４と同じ「表の４」の正方形管を長さ（Ｇ）の物４本を切り揃え、その上部に基盤からの高さを定め、「固定金物(3)」２１１取付け用の穴を開ける。
【０１７７】
但し、この管の長さ（Ｇ）は架台を組立てる時に、「挿入管(1)」１０５の長さと軒天との空を考慮しなければならない。従って、{Ｇ＜（Ｈ−《Ｌ1＋α＋β》）}と成る（次の図３２（ａ）の「高強度直列配置型架台  組立順序配列図  １、架台管(2)取付時  正面図」参照。）。但し、α（アルファ）は床面に於けるボルトの調節代（ちょうせつしろ）である。β（ベータ）は天井との余裕空間を指す。
【０１７８】
（ｘ）、「架台管(3)」２０９（使用材料は「表の４」）
これは、上部の「貯留・沈殿槽」１０００が地震発生時、「揺動防止枠」が有効に働く高さを定めると共に、「支柱」に掛かる「揺動防止枠」２０２の揺れの応力を補うのを目的とする。
【０１７９】
これは、前記（ｖｉ）の項の「架台管(1)」１０４と同じ部材、長さ（Ｃ）、本数４であるが、支柱の応力を「挿入管(2)」２０７、「挿入管(1)」１０５まで伝える為の「固定金物」２１１を取付ける穴を開ける。この穴の高さも「基盤」より定め、「挿入管(2)」１０６の穴の高さに連動させる（図２０の「並列配置型架台図  突っ張り支柱  ３層部固定金物  取付け図（ハ）」参照。）。
【０１８０】
（ｘｉ）、「補強管(1)」１１１（使用材料は「表の３」）
これは、「挿入管(1)」１０５の屈曲の防止を目的とする。
【０１８１】
これは、「挿入管(2)」１０６と同じ「表の３」の正方形管を長さ（Ｊ）の物４本を切り揃える。他に特別な加工は無い。但し、この管の長さ（Ｊ）は架台を組立てる時に、「挿入管(1)」１０５の長さ（Ｌ1）と軒天の高さ（Ｈ）との空を考慮しなければならない。従って、{Ｊ＜（Ｈ−《Ｌ2＋ｙ′＋ｙ＋α＋β》）}と成る（但し、ｙ′とは「挿入管(1)」１０５の頂よりカンザシ孔の中心までの長さをいう）。
【０１８２】
（ｘｉｉ）、「押板」１１３（使用材料は「表の１」「表の８」「表の９」）
これは、「挿入管(1)」１０５の小口（最上面）に嵌め込み軒天への密着させることを目的とする。
【０１８３】
この「押板」１１３の製作は、「実施例１の(1)の（ｘｉｉｉ）の押板」１１３の製作と同じであり、但し、製作個数は４個である。
【０１８４】
（ｘｉｉｉ）、「突き棒」１１７（使用材料は「表の２」）
この「突き棒」１１７の使用目的、作製及び個数は「実施例１の(1)の（ｘｖｉｉ）の突き棒」１１７と同じである。
【０１８５】
（ｘｉｖ）、「突き棒の押板」（使用材料は「表の１」「表の８」）
この「突き棒の押板」の使用目的、作製及び個数は「実施例１の(1)の（ｘｖｉｉｉ）の『突き棒の押板』１１８」と同じ。
【０１８６】
（ｘｖ）、「受け板」（使用材料は「表の９」「表の12」）
この「受け板」の使用目的、作製は「実施例１の(1)の（ｘｉｘ）の『受け板』１１９」に準ずるが、本数は１本としその長さは、実施例２の「並列配置型架台（幅広ベランダ想定）」の説明の如く、左右の「突き棒」１１７の働きを連携させる。
【０１８７】
（ｘｖｉ）、「床の外れ止め」、「台座板」、「外止め緩衝ゴム」、「敷きゴム」、「底央支持」
これ等の使用目的、作製及び個数は全て「実施例１の(1)の（ｘｘ）の項、（ｘｘｉ）の項、（ｘｘｉｉ）の項、（ｘｘｉｉｉ）の項、（ｘｘｉｖ）の項」と同じ故、ここでの説明は省く。
【０１８８】
（２）、以下、上述の「直列配置型架台」（狭小ベランダ想定）の組立てについて説明する。
【０１８９】
（ａ）、先ず、４本の「挿入管(1)」１０５を「挿入管(2)」１０６の夫々に挿入させ、「固定金物(3)」２１１を仮付けし「挿入管(1)」１０５と「挿入管(2)」１０６を固定する。
【０１９０】
（ｂ）、「台座骨組(1)」２０３を「柱脚支柱」１０３の長さよりやや低めの「台」の上に置き、「台座端末管」２０８の下に「柱脚支柱」１０３を合わせ、上記「挿入管(1)」１０５を包含した「挿入管(2)」１０６を１本ずつ固定金物の向きを確認して、端末管を介して４本の「柱脚管」２０４へ挿入、組立てに用いた「台」を除去して、一応の台の形を形成する。
【０１９１】
（ｃ）、仮付けの「固定金物(3)」２１１を取外し、４本の「架台管(1)」１０４を「挿入管(1)(2)」１０５、１０６の頂きから包含させる。
【０１９２】
（ｄ）、「揺動防止枠(1)」２０１の左右の「突き棒包含管」２１２に「突き棒」１１７を挿入し、「固定金物(4)」２１３の取付けの穴の向きを確認して、「挿入管(1)(2)」１０５、１０６の頂きから、「揺動防止枠(1)の端末管」２０６を嵌入させ下ろす。
【０１９３】
（ｅ）、「架台管(2)」２０７の４本を「挿入管(2)」１０６の穴の向きに合わせて、「挿入管(1)(2)」１０５、１０６の頂きから包含させる。
【０１９４】
（ｆ）、「台座骨組(2)」２０３の「端末管」２０８を「挿入管(1)(2)」１０５、１０６の頂きから嵌入させる。
【０１９５】
（ｇ）、「架台管(3)」２０９の４本を「挿入管(2)」１０６の穴の向きに合わせて、「挿入管(1)(2)」１０５、１０６の頂きから包含させる。
【０１９６】
（ｈ）、「揺動防止枠(2)の端末管」２１０を「挿入管(1)(2)」１０５、１０６の頂きから嵌入させる。
【０１９７】
（ｉ）、「補強管(1)」１１１を「挿入管(1)」１０５の上に配し、「挿入管(1)」１０５を「補強管(1)」１１１に挿入させて押上げ、突き出たところで「挿入管(1)」１０５のカンザシ孔に千枚通しを通して落下を防ぐ。この行為を順次行い４本の「挿入管(1)」１０５が「補強管(1)」１１１の上に突き出た状態を作る。
【０１９８】
（ｊ）、「頭繋ぎ枠」２００を頂きから嵌め、４個の「固定金物(1)」２１１を取付ける。
【０１９９】
（ｋ）、４箇所の「挿入管(1)」１０５の頂に「押板１１３の挿入部」を挿入させ、架台全体の形を作る。
【０２００】
（ｌ）、千枚通しを取外し、「捩れ防止板」２１４の中央を押上げ、４本の「挿入管(1)」１０５を天井面に密着させ、この状態を保持し「固定金物(2)」２１１を４箇所に取付ける。
【０２０１】
（ｍ）、更に、「固定金物(3)」２１１を４箇所に取付け、「柱脚支柱」１０３の「調節ボルト」２１６をスパナで回転させ、装置全体を天井と床に圧着固定させる。
【０２０２】
（ｎ）、「外止め」２１５を調節ボルト２１６の４箇所に、絡めて床面に接着剤にて固定する。
【０２０３】
（ｏ）、上下の「台座骨組」２０３の上に、完成された「台座板」２１７を載せ、「敷きゴム」２１８、「底央支持」２１９を施し、「貯留・沈澱槽」１０００及び「濾過槽」１００１を設置する。
【０２０４】
（ｐ）、下部、「揺動防止枠」２０１に挿入されている「突き棒」１１７を引き出し、その先端に「突き棒の押板」１１８を取付ける。
【０２０５】
（ｑ）、ベランダ手摺内側に「受け板」１１９を取付ける（実施例１、実施例２と同様であるので、図１４の「並列配置型架台骨組図（幅広ベランダ想定）」「揺動防止枠  平面図」、図６の「並列配置型架台骨組図（一般ベランダ想定）（ロ部拡大  側面図）」参照。）。
【０２０６】
（ｒ）、「突き棒」１１７の１本１本を伸ばし、「受け板」１１９に「突き棒の押板」１１８を嵌め込み、「揺動防止枠」２０１、２０２の「包含管」２１２の夫々に「固定金物(4)」２１３を取付ける。
【０２０７】
この実施例３に係る発明では、
雨水を貯留し前記雨水が含む不純物を沈殿させる貯留・沈殿槽と、前記貯留・沈殿槽の水を受け入れて濾過する濾過槽とを有する雨水貯留装置をベランダに配置し保持する架台であって、
前記雨水貯留装置の各槽のそれぞれを支持する揺動防止枠と、
前記揺動防止枠を支持する骨組みと、
前記ベランダの背面から手摺までの間に延伸して前記骨組みを支持する突き棒と、
前記ベランダの床から天井までの間に延伸して前記骨組みを支持する突っ張り支柱と、
を有することとした。
【０２０８】
また、
前記貯留・沈殿槽と、前記濾過槽とを縦並びに配置することとした。
【０２０９】
＜実施例４＞
本実施例では、「高強度直列型架台の作製」について説明する。
【０２１０】
この形式は、高層集合住宅を想定して発明したもので有るが、形体は、実施例３の「直列配置型架台（狭小ベランダ想定）」と基本的には同じである。しかし、ここでの考え方の違いは、「挿入管(1)」１０５の最上部が単管なのでその部分の補強を目的として、金属の角棒（「表の５」）すなわち芯２２２を内包させ「芯持ち挿入管(1)」２２１としたこと、及び「挿入管(2)」１０６と「補強管(1)」１１１とが小口同士で接しているが、接合されたものでない故、その部分の補強を兼ねて「補強管(2)」１０９を配した。また、横揺れの力が掛かる「揺動防止枠(1)」１０１、「揺動防止枠(2)」１０１の両箇所の補強を考え「芯持ち挿入管(1)」２２１を上部材と下部材の２本に分断した。
【０２１１】
各部品の役目と構造を、実施例３の「６、直列配置型架台（狭小ベランダ想定）」の流れに従って説明するが、作製本数を含め、共通する箇所が多々有る故その部分の説明は省く。実施例３の「直列配置型架台（狭小ベランダ想定）」のものは、以後「実施例３」と言う。
【０２１２】
図３０は、図２８とは別の「直列配置型架台」１００ｄを示す図であって、（ａ）は「直列配置型架台」１００ｄの骨組みを示す正面図であり、（ｂ）は「直列配置型架台」１００ｄの「芯持ち挿入管」を示す上部縦断面図であり、（ｃ）は「直列配置型架台」１００ｄの「芯持ち挿入管」を示す下部縦断面図である。
【０２１３】
図３１（ａ）は図３０の（イ）部における「管」同士を固定する「金物」の仮付図であり、図３１（ｂ）は図３０の（ロ）部における「管」同士を固定する「金物」の取付図であり、図３１（ｃ）は図３０の（イ）部における「補強管」相関の縦断面図であり、図３１（ｄ）は図３０の（ハ）および（ニ）部における「管」同士を固定する金物の取付図であり、図３１（ｅ）は図３０の（ハ）および（ニ）部における「管」、「芯」相関の縦断面図であり、図３１（ｆ）は図３０の（ホ）部における「管」と「芯」を固定する「金物」の取付図である。
【０２１４】
図３２は、図３０に示した「直列配置型架台」１００ｄの組み立て順序を示す図であって、（ａ）は「架台管」取り付け時の正面図であり、（ｂ）は（ａ）に続く「補強管」取り付け時の正面図である。
【０２１５】
図３３は、図３０に示した「直列配置型架台」１００ｄの組み立て順序を示す図であって、（ａ）は図３２（ｂ）に続く「頭繋ぎ枠」取り付け時の正面図であり、（ｂ）は（ａ）に続く「押板」取り付け時の正面図である。
【０２１６】
（１）各部品の役目と構造
（ｉ）、「頭繋ぎ枠」２００（使用材料は「表の３」「表の６」「表の８」）
目的、製作の過程等は全て「６」に同じであるが、「捩れ防止板」２１４の取付け位置を、「挿入管(1)」、４本を同時に引上げる時、押上げに有利に働くことを考慮し、枠の下面とした。
【０２１７】
（ｉｉ）、「揺動防止枠(1)」〜（ｖ）、「柱脚支柱」までは全て実施例３に同じである。
【０２１８】
（ｖｉ）、「架台管(1)」１０４（使用材料は「表の４」）
目的、使用材料、長さ、本数は「実施例３」に同じであるが、「芯持ち挿入管(1)」２２１の下部材の「固定金物（ホ）」の取付け高を定め、そこに「固定金物」の圧着部が貫入出来る穴を開ける（図３０（ｃ）の「芯持ち挿入管(1)  下部  縦断面図」、図３１（ｆ）の「（ホ）部  固定金物取付図」参照。）。
【０２１９】
（ｖｉｉ）、「芯持ち挿入管(1)」２２１（使用材料は「表の１」「表の２」「表の５」）
これは前記「実施例３」の（ｖｉｉ）で述べた様に、「挿入管(2)」１０６と連携し床面と天井の間を突っ張って装置全体を固定させるのを目的とる事には変わりはないが、「揺動防止枠(1)」１０１、「揺動防止枠(2)」１０１に掛かる横揺れの応力を高めたいが為、下部材と上部材に分離出来る様にした。また、突っ張り支柱の上部が「表の２」の正方形管だけよりも強度を高めるため、「表の５」の角棒すなわち「芯」２２２を内包させることにより、より高強度の架台とした。
【０２２０】
作製の手順は、先ず、「表の２」の正方形管を「挿入管(1)」１０５の長さ（Ｌ1）に切り揃えた物４本を作製し、それらを下部材の長さ（Ｓ）と上部材の長さ（Ｔ）に切断する。次に長さ（Ｓ）の「下部の管」４本の１面に「固定金物（ホ）」の取付け高に穴を開ける。
【０２２１】
「芯持ち挿入管(1)」２２１の下部材の作製、これは、上記長さ（Ｓ）の物を「下部管」とし、その４本の１面に高さを定め「固定金物（ホ）」の取付け穴を開ける。次に、「表の５」の方形角棒を「下部管」の長さ（Ｓ）より、「調節ボルト」の可動空間となる（ρ《ロー》）を減じた長さ（Ｓ′）の物４本を切り揃える。その角棒を「下部管」に挿入し、両部材の上端を揃え、適当に下がった位置に「固定用ビス」に適合したキリで孔を開け、更にその内側に雌ネジを切り、正方形管の両面に皿を揉み、適合した「皿ビス」で両面から固定し、表面からビスの頭が出ない様に作製する（図３０（ｃ）の「芯持ち挿入管(1)  下部  縦断面図」参照。）。
【０２２２】
「芯持ち挿入管(1)」２２１の上部材の作製、これは、長さ（Ｔ）の物を「上部管」とし、その４本の上から（ｙ′）下がった位置にカンザシ孔を開ける。次に、「表の５」の方形角棒を「上部管」の長さ（Ｔ）より、上部カンザシ孔までの長さ（ｙ′）と余裕長（λ《ラムダ》）を減じた長さ（Ｔ′）の物切り揃える。その角棒を「上部管」に挿入し、両部材の下端を揃え、カンザシ孔より適当に下がった位置に「固定用ビス」に適合したキリで孔を開け、雌ネジを切り、管の両面に皿を揉み、適合した「皿ビス」で両面から固定し、下部材同様表面からビスの頭が出ない様に作製する（図３０（ｂ）の「芯持ち挿入管(1)  上部  縦断面図」参照。）。
【０２２３】
（ｖｉｉｉ）、「挿入管(2)」１０６（使用材料は「表の３」）
これは、目的、使用材料、長さ、本数等は「実施例３」に同じであるが、「固定金物」取付け部位が異なる。従って、下から「固定金物（ホ）」「固定金物（ニ）」の位置を定め、「固定金物」の圧着部が貫入出来る穴を４本の夫々に開ける（図３０（ａ）の「完成架台骨組  正面図」参照。）。
【０２２４】
（ｉｘ）、「架台管(2)」２０７（使用材料は「表の４」）
これも、目的、使用材料、長さ、本数等は「実施例３」に同じであるが、この部分の「挿入管(1)」１０５は極めて少ないので、「固定金物」の取付けも省いた。従って、特別な加工はない。
【０２２５】
（ｘ）、「架台管(3)」２０９（使用材料は「表の４」）
これも、目的、使用材料、長さ、本数等は「実施例３」に同じであるが、「芯持ち挿入管(1)」２２１の上部材の下方を「固定金物（ニ）」で強固に固定するため、「挿入管(2)」１０６と「架台管(3)」２０９が積層する管の上方にその穴をあける。従って、「実施例３」の場合よりやや上方に位置を上げる（図３０（ａ）の「完成架台骨組  正面図」、図３１（ｅ）の「（ハ）、（ニ）部位  管各層相関  縦断面図」、図３１（ｄ）の「（ハ）及び（ニ）部  固定金物取付図」参照。）。
【０２２６】
（ｘｉ）、「補強管(1)」１１１（使用材料は「表の３」）
これも、目的、使用材料、長さ、本数等は「実施例３」に同じであるが、次の（ｘｉｉ）の項の「補強管(2)」１０９と共に「芯持ち挿入管(1)」２２１の上部の強度を補う為に、「固定金物（ハ）」の位置に金物取付け用の穴を開ける（図３０（ａ）の「完成架台骨組  正面図」、図３１（ｅ）の「（ハ）、（ニ）部位  管各層相関  縦断面図」、図３１（ｄ）の「（ハ）及び（ニ）部  固定金物取付図」参照。）。
【０２２７】
（ｘｉｉ）、「補強管(2)」１０９（使用材料は「表の４」）
これは、「挿入管(2)」１０９の上端（うわば）に「補強管(1)」１１１の下端（したば）が載っているだけなので、その部位を覆い包んで補強することも含めて、「補強管(1)」１１１全体を更に補強するのを目的とする。従って、「補強管(1)」１１１の「固定金物（ハ）」と同じ部位に金物取付け用の穴を開ける（図３０（ａ）の「完成架台骨組  正面図」、図３１（ｅ）の「（ハ）、（ニ）部位  管各層相関  縦断面図」、図３１（ｄ）の「（ハ）及び（ニ）部  固定金物取付図」参照。）。
【０２２８】
（ｘｉｉｉ）、「押板」から「受け板」までは、「実施例３の(1)の（ｘｉｉ）」から「実施例３の(1)の（ｘｖ）」までと同じなので、説明は省く。
【０２２９】
（ｘｉｖ）、「床の外止め」から「底央支持」までは、「実施例１の(1)の（ｘｘ）」から「実施例１の(1)の（ｘｘ）」までと同じなので説明は省く。
【０２３０】
（２）、以下、上述の高強度直列配置型架台の組立てについて説明する。
【０２３１】
この組立て方も基本的には、「実施例３の(2)の項の『直列配置型架台の組立て』」に同じである。だが、組立て方に若干の違いが有るので、図３２、図３３の「高強度直列配置型架台  組立順序配列図」の順序に沿って説明する。また、この説明は「実施例３」の組立て方にも参考になるものである。
【０２３２】
図３２（ａ）の「架台管(2)取付時  正面図」を参照して説明する。
【０２３３】
この図は、「架台管(2)」２０７の長さ（Ｇ）と天井との空「β」の考慮を図示した。
【０２３４】
（ａ）、先ず、４本の「芯持ち挿入管(1)」２２１の下部材を「挿入管(2)」１０６に挿入させ、「固定金物（ホ）」を仮付けし、続いて、「芯持ち挿入管(1)」２２１の上部材を夫々に同じ様に「挿入管(2)」に挿入させる。
【０２３５】
（ｂ）、「実施例３の(2)の（ｂ）」同様、「台座骨組(1)」１０２を「柱脚支柱」１０３の長さよりやや低めの「台」の上に置き、「台座端末管」２０６の下に「柱脚支柱」１０３を合わせ、上記「芯持ち挿入管(1)」２２１を包含した「挿入管(2)」１０６を１本ずつ「固定金物」の向きを確認して、端末管２０６を介して４本の「柱脚管」２０４へ挿入し、組立てに用いた「台」を除去して、一応の「架台」の形を形成する。
【０２３６】
（ｃ）、仮付けの「固定金物」を取外し、４本の「架台管(1)」１０４の穴の確認し、頂きから包含させ、「実施例３の(2)の（ｄ）」同様、「揺動防止枠(1)」１０１を嵌め下ろす。
【０２３７】
（ｄ）、「架台管(2)」２０７を「芯持ち挿入管(1)」２２１の頂きから包含させる。
【０２３８】
図３２（ｂ）の「補強管(1)(2)取付時  正面図」を参照して説明する。
【０２３９】
この図は、「補強管(1)」１１１、「補強管(2)」１０９を「金物（イ）」で仮付けし、「芯持ち挿入管(1)」２２１の上に配した図である。
【０２４０】
（ｅ）、「架台管(2)」２０７、「台座骨組(2)」１０２を取付けた後、「架台管(3)」２０９の穴の向きを確認包含し、「揺動防止枠(2)」１０１を取付ける。
【０２４１】
（ｆ）、この図の説明の如く、４本の「補強管(2)」１０９の夫々に「補強管(1)」１１１を挿入し、「固定金物（イ）」を仮付けする（図３１（ａ）の「（イ）部  補強管金物仮付図」参照。）。
【０２４２】
（ｇ）、  前記（ｆ）の項の「補強管(1)(2)」１１１、１０９が合体した管の向きを確認し、「芯持ち挿入管(1)」２２１を、１本ずつを「補強管(1)(2)」に挿入させ押上げ、「芯持ち挿入管(1)」２２１を貫通させ上部のカンザシ孔に千枚通しを通し、「芯持ち挿入管(1)」２２１の落下を防ぐ。
【０２４３】
図３３（ａ）の「頭繋ぎ枠取付時  正面図」を参照して説明する。
【０２４４】
この図は、「固定金物（イ）」を取外して尚、千枚通しを差したまま、「頭繋ぎ枠」を嵌め込む図である。
【０２４５】
（ｈ）、４本の「挿入管(1)」１０５に千枚通しが施されたら「固定金物（イ）」を取外し、「補強管(2)」１０９を「揺動防止枠(2)」１０１まで自然落下させる。
【０２４６】
（ｉ）、前記（ｈ）の項の状態を保持し、「頭繋ぎ枠」２００を嵌め、「固定金物（ロ）」を取付け、千枚通しを除去する。
【０２４７】
図３３（ｂ）の「押板取付時  正面図」を参照して説明する。
【０２４８】
この図は、「頭繋ぎ枠」２００の「端末管」に「固定金物（ロ）」が施され、頂きから「押板」１１３を取付ける図である。
【０２４９】
（ｊ）、前記（ｉ）の項の作業が終了したら「芯持ち挿入管(1)」２２１の頂の４箇所の夫々に、「押板」１１３の挿入部を挿入する。
【０２５０】
（ｋ）、  前記（ｊ）の項が終了したら「頭繋ぎ枠」２００の「捩れ防止板」２１４の中央部を押上げ、「押板」１１３の「圧着ゴム」２２５を「軒天」に密着させる。
【０２５１】
（ｌ）、前記（ｋ）の項の状態を保持し、「固定金物（ハ）」を取付ける。
【０２５２】
（ｍ）、順次「固定金物（ニ）」、「固定金物（ホ）」を強固に固定し、４箇所の「柱脚管」下の「調節ボルト」２１６を回転させ、装置全体を軒天へ圧着固定させる。
【０２５３】
図３０（ａ）の「完成架台骨組  正面図」を参照して説明する。
【０２５４】
この図は、完成時の形を明確化すべく、敢えて隠れ線を省き、外形腺のみの表示とした。
【０２５５】
（ｎ）、以下「実施例３の(2)の（ｋ）〜（ｓ）」までの作業を行い、架台を完成させる。
【０２５６】
この実施例４に係る発明では、
雨水を貯留し前記雨水が含む不純物を沈殿させる貯留・沈殿槽と、前記貯留・沈殿槽の水を受け入れて濾過する濾過槽とを有する雨水貯留装置をベランダに配置し保持する架台であって、
前記雨水貯留装置の各槽のそれぞれを支持する揺動防止枠と、
前記揺動防止枠を支持する骨組みと、
前記ベランダの背面から手摺までの間に延伸して前記骨組みを支持する突き棒と、
前記ベランダの床から天井までの間に延伸して前記骨組みを支持する突っ張り支柱と、
を有することとした。
【０２５７】
また、
前記貯留・沈殿槽と、前記濾過槽とを縦並びに配置することとした。
【０２５８】
本発明の態様は、上述した個々の実施例に限定されるものではなく、個々の実施例の各要素のいかなる組合せも本発明に含み、また、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【０２５９】
１０００  貯留・沈殿槽
１００１  濾過槽
１００  架台
１０１  揺動防止枠
１０２  台座骨組
１０３  柱脚支柱
【図１】
2014020131.tif 000003
【図２】
2014020131.tif 000004
【図３】
2014020131.tif 000005
【図４】
2014020131.tif 000006
【図５】
2014020131.tif 000007
【図６】
2014020131.tif 000008
【図７】
2014020131.tif 000009
【図８】
2014020131.tif 000010
【図９】
2014020131.tif 000011
【図１０】
2014020131.tif 000012
【図１１】
2014020131.tif 000013
【図１２】
2014020131.tif 000014
【図１３】
2014020131.tif 000015
【図１４】
2014020131.tif 000016
【図１５】
2014020131.tif 000017
【図１６】
2014020131.tif 000018
【図１７】
2014020131.tif 000019
【図１８】
2014020131.tif 000020
【図１９】
2014020131.tif 000021
【図２０】
2014020131.tif 000022
【図２１】
2014020131.tif 000023
【図２２】
2014020131.tif 000024
【図２３】
2014020131.tif 000025
【図２４】
2014020131.tif 000026
【図２５】
2014020131.tif 000027
【図２６】
2014020131.tif 000028
【図２７】
2014020131.tif 000029
【図２８】
2014020131.tif 000030
【図２９】
2014020131.tif 000031
【図３０】
2014020131.tif 000032
【図３１】
2014020131.tif 000033
【図３２】
2014020131.tif 000034
【図３３】
2014020131.tif 000035